(57)【特許請求の範囲】
【請求項１】
内部に復水器が設置される発電所のタービン建屋であって、
復水器が設置される基礎版に、復水器に接続される循環水配管が埋設された状態で配置され、さらに、前記基礎版について復水器の設置位置と搬入経路とが連続したひとつの水平面として構築されていることを特徴とする発電所のタービン建屋。
【請求項２】
前記循環水配管がコンクリートダクトとされて前記基礎版と一体に構築されていることを特徴とする請求項１に記載された発電所のタービン建屋。
【請求項３】
請求項１または２に記載された発電所のタービン建屋へ復水器を搬入する復水器搬入方法であって、
復水器の搬入経路、もしくは該搬入経路に連続してタービン建屋の外に設けられた復水器組立ヤードに台車を設置し、
該台車上で復水器を組み立てたのち、該復水器を台車ごと当該設置位置まで移動させ、
復水器をジャッキダウンして台車から降ろすことを特徴とする発電所のタービン建屋への復水器搬入方法。
【請求項４】
請求項１または２に記載された発電所のタービン建屋へ復水器を搬入する復水器搬入方法であって、
復水器の搬入経路、もしくは該搬入経路に連続してタービン建屋の外に設けられた復水器組立ヤードに復水器の設置位置に向けて軌道を敷設し、
該軌道上で復水器を組み立てたのち、該復水器を軌道に沿って当該設置位置まで移動させることを特徴とする発電所のタービン建屋への復水器搬入方法。
【発明の詳細な説明】
【０００１】
【発明の属する技術分野】
本発明は、発電所のタービン建屋およびこのタービン建屋への復水器搬入方法に関する。
【０００２】
【従来の技術】
発電所を建設するに際しては、各種発電設備が設置される建屋が各設備ごとに構築される場合が多い。このうち、発電機を回転させる蒸気タービンが設置されるタービン建屋には、蒸気タービンを回転させるために使用した水蒸気を水に戻す復水器が並設される場合が多い。
【０００３】
図６に示すように、復水器が並設されるタービン建屋においては、その床面に構築されるマット（基礎版）１は、掘削された地盤に、地表面ＧＬから深さの異なる３段階の施工面を設けて構築されている。復水器Ｃは、図７に示すように、最も深い施工面１ａに間隔を空けて複数立設された復水器架台２上に設置されている。復水器架台２は２番目に深い施工面１ｂと同等の高さに構築されており、これら復水器架台２の間を通して循環水配管（ＣＷＰ）３が復水器Ｃの下部に接続されている。
【０００４】
上記のように構築されたマット１を備えるタービン建屋に復水器Ｃを搬入、設置する工程としては、まず、図８に示すように、タービン建屋外の地盤を最も浅い施工面１ｃと同等のレベルに掘削するとともに、２番目に深い施工面１ｂ上に最も浅い施工面１ｃと同等の高さに仮設の架台４を設置する。次に、掘削された地盤上に、マット１上に設けられた復水器Ｃの設置位置まで走行可能な台車５を設置し、この台車５上において復水器Ｃを組立てる。そして、この台車５を走行させ、復水器Ｃの設置位置まで移動させたら、最も深い施工面１ａ上に立てたジャッキ（図示せず）で復水器Ｃをジャッキダウンし、復水器架台２上に降ろす。なお、復水器Ｃの設置に際しては、設置位置に水張定盤６をあらかじめ設置しておき、この水張定盤６を利用して復水器Ｃを水平に設置する。
【０００５】
【発明が解決しようとする課題】
しかしながら、従来はマットが上記のように複雑な形状を有していることから、このマットを構築するに際して地盤を多量に掘削する必要がある、掘削した地盤に山留めと止水の対策として鋼矢板またはソイルセメント山留柱列壁を設置する必要がある、といった問題があった。しかも、マットの形状が複雑であることから、復水器の搬入および補機の設置作業が複雑になり、結果として、マットの構築、復水器の搬入に要する工事期間が長引くとともに、工事に費やされるコストが嵩むといった問題があった。
【０００６】
本発明は上記の事情に鑑みてなされたものであり、従来に比べてコストを抑えて施工可能な基礎版を有する発電所のタービン建屋と、このタービン建屋への復水器搬入方法を提供することを目的とする。
【０００７】
【課題を解決するための手段】
請求項１に記載された発電所のタービン建屋は、復水器が設置される基礎版に、復水器に接続される循環水配管が埋設された状態で配置され、さらに、前記基礎版について復水器の設置位置と搬入経路とが連続したひとつの水平面として構築されていることを特徴とする。
【０００９】
請求項２に記載された発電所のタービン建屋は、請求項１に記載されたタービン建屋において、循環水配管がコンクリートダクトとされて前記基礎版と一体に構築されていることを特徴とする。
【００１０】
請求項３に記載された発電所のタービン建屋への復水器搬入方法は、請求項１または２に記載された基礎版を有するタービン建屋へ復水器を搬入する方法であって、復水器の搬入経路、もしくはこの搬入経路に連続してタービン建屋の外に設けられた復水器組立ヤードに台車を設置し、この台車上で復水器を組み立てたのち、復水器を台車ごと当該設置位置まで移動させ、復水器をジャッキダウンして台車から降ろすことを特徴とする。
【００１１】
請求項４に記載された発電所のタービン建屋への復水器搬入方法は、請求項１または２に記載された基礎版を有するタービン建屋へ復水器を搬入する方法であって、復水器の搬入経路、もしくはこの搬入経路に連続してタービン建屋の外に設けられた復水器組立ヤードに復水器の設置位置に向けて軌道を敷設し、この軌道上で復水器を組み立てたのち、復水器を軌道に沿って当該設置位置まで移動させることを特徴とする。
【００１２】
【発明の実施の形態】
本発明に係る発電所のタービン建屋およびこのタービン建屋への復水器搬入方法の第１の実施の形態を図１ないし図３に示して説明する。
図１に示すタービン建屋は、図示しない蒸気タービンの他に復水器Ｃが設置される。
タービン建屋の床を構成するマット（基礎版）１１は、掘り下げた地盤上に２段の施工面を設けて構築されている。このうち、復水器Ｃが設置される下段側のマット１１の上面１１ａは正に水平な状態に構築されて復水器の設置位置とされ、復水器Ｃは、図２に示すようにマット１１に立設された復水器架台１２上に設置されている。復水器架台１２は非常に低く構築されており、復水器Ｃはこれら復水器架台１２上に設置されるもののマット１１上に直置きに近い状態で設置されている。
【００１３】
マット１１の内部には、復水器Ｃの下部に接続される循環水配管１３が配置されている。循環水配管１３は、蒸気タービンを回転させるために使用した水蒸気を冷却するための冷却水を取水、または放水するための配管である。これら循環水配管１３はマットと一体となったコンクリートダクトとして構築されており、マット１１の内部にそれぞれ間隔を空けて配置されている。
【００１４】
マット１１の上部には、タービン建屋の上部建物の柱脚１４ａが設けられている他に、蒸気タービンや発電機を支持するタービン架台１４ｂがこれらの周囲に立設されている。
【００１５】
また、マット１１には、復水器Ｃの設置位置１１ａから一側方に向けて水平に延出する部分が設けられており、この延出部分の上面１１ｂが復水器の搬入経路とされ、復水器Ｃの設置位置と連続したひとつの水平面をなして構築されている。
【００１６】
上記のように構成されたタービン建屋への復水器Ｃの搬入工事の作業手順を図３に示す。
タービン建屋の外の地盤を復水器Ｃの搬入経路１１ｂに連続させて水平に掘削してこの区画を復水器組立ヤード２０とし、この復水器組立ヤード２０に復水器Ｃを載置して走行する台車１５を設置する。
台車１５上または別の地組ヤードにおいて復水器Ｃの組立を行い、復水器Ｃの組立が完了したら、図示しない牽引装置により台車１５ごと復水器Ｃを横引きし、復水器組立ヤード２０から搬入経路１１ｂを通って設置位置１１ａまで復水器Ｃを徐々に移動させる。
設置位置１１ａに到達したら、復水器Ｃを台車１５から図示しないジャッキに載せ替え、復水器Ｃの下方から台車１５を復水器組立ヤード２０側に後退させたうえで、ジャッキを操作して復水器Ｃを下降させて復水器架台１２上に設置する。
【００１７】
上記のように構成されたタービン建屋においては、循環水配管１３がコンクリートダクト化されてマット１１の内部に一体に構築され、従来は地盤を深く掘り下げて構築されていた基礎版１１の形状が単純化されるので、従来に比べて地盤の掘削量が低減されるとともに、山留めや止水の目的で施工されていた鋼矢板や山留柱列壁が不要となり、土工事に必要な物量の低減および工事期間の短縮が図られる。
また、復水器Ｃがマット１１上にほぼ直置きに近い状態で設置されるため、復水器Ｃを支持するためのコンクリート基礎が不要となり、マット１１の構造が簡略化される。さらに、循環水配管１３の配管工事がマット１１の構築工事と同時に行われるため、従来に比べ工期が短縮される。
【００１８】
タービン建屋への復水器Ｃの搬入に際しては、搬入経路１１ｂから設置位置１１ａまでマット１１に段差が設けられていないので、台車１５を走行させるための仮設備が従来に比べて軽微になる。また、マット１１の上面が正に水平な状態に構築されているので、復水器の水平を計りながら設置するといった作業が廃され、従来に比べ工期が短縮される。
【００１９】
なお、本実施の形態においては、循環水配管１３がコンクリートダクト化されてマット１１と一体に構築されているが、従来の鋼管製の循環水配管をマット１１に埋設した構成としても良い。
【００２０】
また、本実施の形態においては、復水器Ｃの一括搬入を前提としているが、一括搬入を行わずタービン建屋内で復水器Ｃを組立てる場合においてもマット１１の施工および復水器Ｃの組立作業を効率良く実施でき、施工コストの削減、工期の短縮が図られる。この場合、マット１１には復水器Ｃの搬入経路１１ｂは設けられず、タービン建屋に合わせた外周部を備える２段構造として構築される。
【００２１】
次に、本発明に係るタービン建屋への復水器搬入方法の第２の実施の形態を説明する。本実施の形態は、前記第１の実施の形態に示したタービン建屋へ復水器を搬入する方法であり、その搬入工事の手順を図４に示す。なお、前記第１の実施の形態において既に説明した構成要素には同一の符号を付して説明を省略する。
作業の前段として、タービン建屋の内部の復水器Ｃの搬入経路１１ｂから設置位置１１ａに向けてマット１１上にスライドレール（軌道）３０を敷設する。このスライドレール３０は、図５に示すようにマット１１に設けられた凹溝１１ｃの内部に配され、復水器Ｃが走行する上縁部３０ａがマット１１の上面とほぼ面一とされた埋設型とされている。
まず、スライドレール３０上において復水器Ｃの組立を行い、復水器Ｃの組立が完了したら、図示しない牽引装置により復水器Ｃをスライドレール３０に沿って移動させる。設置位置１１ａに到達したら、スライドレール３０が設置された凹溝１１ｃにコンクリートを打設してマット１１と復水器Ｃとを固着させる。
【００２２】
上記のように構成されたタービン建屋においては、前記第１の実施の形態で述べた効果に加えて、復水器Ｃを搬入経路１１ｃに沿って敷設された埋設型のスライドレール３０上に配置し、マット１１の上面に沿って移動させることで、復水器Ｃをジャッキダウンしてマット１１上に設置する作業が廃され、従来に比べ工期が短縮される。
【００２３】
なお、本実施の形態においては、タービン建屋の内部において復水器の組立を行ったが、前記第１の実施の形態のように、タービン建屋の外の地盤を搬入経路に連続させて水平に掘削して復水器組立ヤードとし、この復水器組立ヤードから所定の設置位置に向けてスライドレールを敷設して復水器の搬入を行っても構わない。
【００２４】
【発明の効果】
以上説明したように、請求項１に記載された発電所のタービン建屋においては、復水器に接続される循環水配管が基礎版の内部に埋設された状態とされ、従来下方に深く掘り下げて構築されていた基礎版の形状が単純化されているので、従来に比べて地盤の掘削量が低減されるとともに、従来山留めや止水の目的で施工されていた鋼矢板や山留柱列壁が不要となり、物量の低減および土工事期間の短縮が図れる。また、循環水配管の配管工事を基礎版の構築工事と同時に行うことにより工期が短縮される。
【００２５】
また、請求項１に記載された発電所のタービン建屋においては、基礎版について復水器の設置位置と搬入経路とが連続した水平面として構築され、復水器の搬入経路から設置位置までに段差が設けられていないので、復水器の搬入のための仮設備が従来に比べて軽微になる。また、復水器の設置位置が水平に構築され、復水器が基礎版上にほぼ直置きに近い状態で設置されるので、復水器を支持するコンクリート基礎が不要となり、基礎版の施工コストが削減されるとともに工期が短縮される。
【００２６】
請求項２に記載された発電所のタービン建屋においては、基礎版の構築に際して循環水配管をコンクリートダクトとして基礎版と一体に構築することで基礎版の施工コストが削減されるとともに工期の短縮が図れる。
【００２７】
請求項３に記載された発電所のタービン建屋への復水器搬入方法においては、基礎版について復水器の設置位置と搬入経路とが連続した水平面として構築され、復水器の搬入経路から設置位置までに段差が設けられていないので、復水器を移動させるための仮設備が従来に比べて軽微になり、搬入に必要な物量の低減が図られる。また、復水器の設置位置が水平に構築され、復水器が基礎版上にほぼ直置きに近い状態で設置されるので、復水器の水平を計りながら設置するといった作業が廃され、従来に比べて搬入作業が簡略化されて作業時間が短縮される。
【００２８】
請求項４に記載された発電所のタービン建屋への復水器搬入方法においては、搬入経路に沿って敷設されたスライドレール上に復水器が配置され、基礎版の上面に沿って移動させて復水器をジャッキダウンする作業が廃され、ジャッキその他の仮設備が不要になり物量の低減が図られるとともに搬作業時間が短縮される。
【図面の簡単な説明】
【図１】  本発明に係る発電所のタービン建屋の第１の実施の形態を示す側方断面図である。
【図２】  図１におけるＩＩ−ＩＩ線矢視断面図である。
【図３】  図１に示すタービン建屋への復水器の搬入手順を示す状態説明図である。
【図４】  図１に示すタービン建屋への復水器の搬入方法の第２の実施の形態を示す状態説明図である。
【図５】  図４におけるＶ−Ｖ線矢視断面図である。
【図６】  従来のタービン建屋の一例を示す側方断面図である。
【図７】  図６におけるＶＩＩ−ＶＩＩ線矢視断面図である。
【図８】  図６に示す従来のタービン建屋への復水器の搬入手順を示す状態説明図である。
【符号の説明】
１１  マット
１３  循環水配管
１５  台車
２０  復水器組立ヤード
３０  スライドレール
Ｃ  復水器
【図１】
0003777520.tif 000002
【図２】
0003777520.tif 000003
【図３】
0003777520.tif 000004
【図４】
0003777520.tif 000005
【図５】
0003777520.tif 000006
【図６】
0003777520.tif 000007
【図７】
0003777520.tif 000008
【図８】
0003777520.tif 000009